(57)【要約】      （修正有）【課題】グラビア印刷機により、グラビア印刷を行った後段の印刷ユニットを用い、ミシン目を設けたミシン目付与部材と自己粘着層を外周に設けたニップ圧胴の間に、前段で印刷を行ったフィルムを通し印刷絵柄に見当を合わせてミシン目付与部材でミシン目を付与するグラビア印刷方法、本方法に用いることができるミシン目付与部材とニップ圧胴、及び本方法でミシン目が付与されたフィルムを使用した包装材を提供する。【解決手段】ミシン目刃を設けたミシン目付与部材と自己粘着層を設けたニップ圧胴とを用いて、ミシン目刃の高さと自己粘着層の構成を工夫することでインライン加工での、グラビア印刷物に見当を合わせたミシン目加工を可能とした。【選択図】図１５
2018149707.tif 000002
【特許請求の範囲】
【請求項１】
グラビア印刷を施す印刷ユニットがフィルムの搬送経路に沿って複数設けられているグラビア印刷機を用い、前記フィルムに任意の絵柄の印刷を行ない、後段の印刷ユニットに設けられるグラビア印刷版が前記任意の絵柄に見当を合わせた任意のミシン目刃を設けたグラビア印刷版（以下、ミシン目刃を設けたグラビア印刷版を総称し「グラビア版」と呼ぶ）であり、ニップ圧胴が、織布の表面側に合成樹脂をコートし、更に非シリコン系離型剤をコートしたコート布を、コート布の裏面側に付設された粘着剤（以下、コート布と粘着剤を総称し「自己粘着層」と呼ぶ）を介してニップ圧胴の芯材の外周に巻き付けたニップ圧胴であり、前記グラビア印刷版と前記ニップ圧胴で圧接される間を前記任意の絵柄の印刷された前記フィルムを通し、前記任意の絵柄の印刷に、前記任意の絵柄の見当を合わせ、前記ミシン目刃によりミシン目を形成することを特徴とするグラビア印刷方法
【請求項２】
請求項1に記載のグラビア印刷方法において、更に任意の絵柄の印刷を行なった後に、前記フィルムを反転装置に搬送し反転させることを特徴とするグラビア印刷方法
【請求項３】
円柱状のグラビア版の表面にミシン目刃を形成し、該ミシン目刃の両サイドに段差部を設け、前記ミシン目刃の刃先を前記グラビア版の円周上に配置したことを特徴とするグラビア版。
【請求項４】
前記ミシン目刃の両サイド、及びミシン目刃の刃先と刃先の間には、前記段差部より深い溝が形成されている請求項３に記載のグラビア版。
【請求項５】
前記ミシン目刃が前記グラビア版の軸方向に沿って、または、軸方向から傾斜した方向に切削加工によって形成されている請求項３または４に記載のグラビア版。
【請求項６】
円柱上のグラビア版の表面に段差部を設け、該段差部にミシン目刃を埋め込む埋込部を形成し、該埋込部にミシン目刃を装着し、更に前記ミシン目刃の両サイド、及びミシン目刃の刃先と刃先の間には、前記段差部より深い溝が形成されてなることを特徴とするグラビア版。
【請求項７】
請求項６に記載のグラビア版において、前記ミシン目刃の刃先が前記グラビア版の円周上に、または、該円周を超える位置まで形成されているグラビア版。
【請求項８】
前記ミシン目刃が、前記グラビア版の全幅に亘ってまたは部分的に間欠的に配置されている請求項３〜７の何れかに記載のグラビア版。
【請求項９】
前記ミシン目刃が前記グラビア版の軸方向に配置されたものにおいて、前記段差部の横幅並びに該段差部の前記円周上からの深さが、前記グラビア版に振動を与えない範囲に設定されている請求項３〜８の何れかに記載のグラビア版。
【請求項１０】
前記グラビア版に圧接するニップ圧胴において、織布の表面側に合成樹脂がコートされ、更に非シリコン系離型剤がコートされたコート布と、該コート布の裏面側に付設された粘着剤層とで形成された自己粘着層がニップ圧胴の芯材外周に２層以上巻き付けられていることを特徴とするニップ圧胴。
【請求項１１】
請求項１又は請求項２のグラビア印刷方法により製造された、フィルムに任意の絵柄の印刷と任意のミシン目との見当が合ったグラビア印刷物を製造し、該グラビア印刷物を用いて、アルミ、セロハン、その他に引き裂き性を有する基材フィルム又は引裂き性が付与された基材フィルム及びシール性を有するフィルムを積層したことを特徴とする包装材。
【発明の詳細な説明】
【技術分野】
【０００１】
包装材の開封性を良くするためにミシン目加工は多く使われている。紙器製品にもミシン目が使われるが、本来密封性を要求される包装材ではないため包装材を貫通したミシン目が付与される。フィルムを使用する軟包装材は、内容物を密封する機能を要求されるために積層されたフィルムの一部、特に切れにくいナイロン、ポリエステル、ポリプロピレンと言った延伸フィルムにミシン目を付与して積層することが求められる。本発明は、軟包装材の開封性付与に関する。
【背景技術】
【０００２】
軟包装材の開封性は、種々の方法で工夫されている。その中の一つの方法が、積層された軟包装材にミシン目を入れる方法である。最近は、レーザー光でミシン目を付与し開封性を高めた軟包装製品もある。しかし、一般的な方法としては、物理的にミシン目刃を用いてミシン目を入れる方法である。その一つが、切刃を設けたロータリーダイカッターとアンビルロールとの間に基材フィルムを通し所望の切断部分を設ける方法や切刃保護のためにクッション層を設けたアンビルロールを使用する方法などが提案されている。
【０００３】
また、包装製品のシール部になる部分に、予め貫通した細かな切込みを入れることで、軟包装材のシール部のどこからでも開封できるようにした包装材もある。この細かな切込みを入れる方法として、刃付きローラと受けローラには粘着層が設けられ更に非粘着層が被覆されたものを用いる方法などが提案されている。
【０００４】
その他にも、多くの軟包装材の開封性を高める方法や包装形態などの提案がなされている。それらの、いくつかを先行技術文献の項に記載する。
【先行技術文献】
【特許文献】
【０００５】
【特許文献１】特開平３−３２５９８
【特許文献２】特開平９−３１５４４４
【特許文献３】特開２０００−１０８０９４
【特許文献４】特開２００１−１８９９１
【特許文献５】特開２００１−２８７７６７
【特許文献６】特開２００２−２５５１９９
【特許文献７】特開２００５−１６２３０３
【特許文献８】特開２０１０−３０６９１
【発明の概要】
【発明が解決しようとする課題】
【０００６】
グラビア印刷機によりグラビア印刷を行った、後段の印刷ユニットを用い、ミシン目を設けたグラビア版と自己粘着層を外周に設けたニップ圧胴の間に、前段印刷ユニットで印刷を行ったフィルムを通し印刷絵柄に見当を合わせてグラビア版でミシン目を付与するグラビア印刷方法、及び本方法に用いることができるグラビア版とニップ圧胴、及び本方法でミシン目が付与されたフィルムを包装材に使用することを課題とする。
【課題を解決するための手段】
【０００７】
本発明のグラビア印刷方法は、グラビア印刷を施す印刷ユニットがフィルムの搬送経路に沿って複数設けられているグラビア印刷機を用い、前記フィルムに任意の絵柄の印刷を行ない、後段の印刷ユニットに設けられるグラビア印刷版が、前記任意の絵柄に見当を合わせた任意のミシン目刃を設けたグラビア印刷版（以下、ミシン目刃を設けたグラビア印刷版を総称し「グラビア版」と呼ぶ）であり、ニップ圧胴が、織布の表面側に合成樹脂をコートし、更に非シリコン系離型剤をコートしたコート布を、コート布の裏面側に付設された粘着剤（以下、コート布と粘着剤を総称し「自己粘着層」と呼ぶ）を介してニップ圧胴の芯材の外周に巻き付けられたニップ圧胴であり、前記グラビア印刷版と前記ニップ圧胴で圧接される間を前記任意の絵柄の印刷された前記フィルムを通し、前記任意の絵柄の印刷に、前記任意の絵柄の見当を合わせ、前記ミシン目刃によりミシン目を形成することを特徴とする。
【０００８】
上記に記載のグラビア印刷方法において、更に任意の絵柄の印刷を行なった後に、前記フィルムを反転装置に搬送し反転させることを特徴とするグラビア印刷方法
【０００９】
印刷ユニットを1ユニットから１０ユニット程度までを有するグラビア印刷機は、多くある。本発明は、１印刷ユニットを使用しミシン目を付与できるので、２印刷ユニットを有するグラビア印刷機であれば、１印刷ユニットを絵柄の印刷に、後段の１印刷ユニットをミシン目の付与する加工に使用すれば本発明を実施することができる。
【００１０】
本発明のグラビア方法を、図１に示す。印刷ユニットが８ユニットからなるグラビア８色印刷機をもって１例として説明する。印刷が施されるフィルム（１）は、給紙部（２）より繰出され搬送路に沿って搬送される。まずテンションコントローラ―（３）に搬送されたのち、印刷ユニットでは、インキパン（４）に貯えられたインキ（５）がフャニッシャ―ロール（６）でグラビア印刷版（７）に塗布され、不要なインキはドクター（８）で除去され、該グラビア印刷版（７）とニップ圧胴（９）との間をフィルムは搬送、圧接されインキはフィルムに転写され、乾燥装置（１０）に搬送されクーリングローラー（１１）で冷却、搬送され第１ユニットでのグラビア印刷は完了する。こうして所望の色インキが第１ユニットから第７ユニットまで使用され、所望の絵柄の印刷を行なうことができる。
【００１１】
ついで、図１に示す第８ユニットで、ミシン目加工を行うが、前段までの印刷ユニットと異なる点は、インキパン（４）、インキ（５）、フャニッシャ―ロール（６），ドクター（８）が設けられていない点と、前段ユニットでは、グラビア印刷版（７）とニップ圧胴（９）とが設けられていたが、第８ユニットでは、ミシン目刃を設けたグラビア版（１２）と自己粘着層をニップ圧胴の芯材の外周に巻き付けたニップ圧胴（１３）とが設けられている点と、乾燥装置（１０）に熱風が送風されいない点である。更に、フィルムは搬送され排紙部（１４）で巻き上げられ、印刷は完了する。
【００１２】
また、本発明のグラビア印刷方法において、更に任意の絵柄の印刷を行なった後に、前記フィルムを反転装置に搬送し反転させることができる。
【００１３】
これにより、医療機器などの目に見えないインキ粉等も問題になる包装材にも安心して使用することができる。
【００１４】
グラビア印刷方法の場合、反転装置を使用しなければ、印刷面側からミシン目刃でミシン目を入れることになるが、絵柄のグラビア印刷を行った後に、反転装置（１５）に印刷フィルムを搬送・経由して、第８ユニットへ搬送すれば、非印刷面側からミシン目刃でミシン目を入れることができる。
【００１５】
このように、インキを使用し絵柄印刷をしたフィルムに、絵柄に見当を合わせて、後段の印刷ユニットで印刷絵柄に見当を合わせてミシン目を付与すれば、グラビア印刷とインラインでミシン目加工ができるものである。本発明においては、図１で示した、ミシン目刃を設けたグラビア版と、自己粘着層を有するニップ圧胴が、通常のグラビア印刷と異なる点であり、この点について詳しく説明をしていく。
【００１６】
グラビア印刷機の印刷部であるグラビア印刷版とニップ圧胴の圧接力は、一般的には４００ｋｇから１０００ｋｇの圧力とされる。本発明の印刷ユニットを用いる場合もミシン目刃を設けたグラビア版と、自己粘着層を有するニップ圧胴とで加圧を行いてミシン目加工をする。
【００１７】
したがって、ロータリーダイカッターとアンビルロールを用い、ダイカッターの刃先とアンビルロールの隙間を管理し両者を圧接せずにミシン目加工をするものとは全く異なるものである。
【００１８】
本発明のグラビア印刷方法に用いる、ミシン目を付与するグラビア版は刃先の管理だけでなく、刃の部分以外が平滑な状態を必要とする。従って、ミシン目を付与するグラビア版は、ミシン目を付与するミシン目刃の周囲を除き、色インキを印刷するグラビア印刷と同様の平滑な状態とすることが必要となる。
【００１９】
一方、ロータリーダイカッターを作製する場合も、真円で平滑な状態のロールから刃先を旋盤等で削り出し作成するため、刃先以外の表面の加工面積は広く表面切削研磨方法は、真円表面を研磨方法と異なり凹凸が大きくあり、本発明のグラビア印刷方法に用いるグラビア版とは全く異なるものである。
【００２０】
ミシン目を持つグラビア版は、二つの方法で作成することができ、どちらの方法のグラビア版も本発明のグラビア印刷方法に使用することができる。
【００２１】
本発明の1つ目の形態であるミシン目刃を設けたグラビア版は、ミシン刃の刃先が前記グラビア版の円周上の位置に設けられるものであり、グラビア版の版面に沿って切削により設けたミシン目刃の両側は段差部とし、該段差部の中央に設けるミシン目刃の周囲は前記段差部より深い溝が設けられる。
【００２２】
本発明のグラビア版は、円柱状のグラビア版の表面にミシン目刃を形成し、該ミシン目刃の両サイドに段差部を設け、前記ミシン目刃の刃先を前記グラビア版の円周上に配置したことを特徴とする。
【００２３】
更に、前記ミシン目刃の両サイド、及びミシン目刃の刃先と刃先の間には、前記段差部より深い溝が形成されているグラビア版である。
【００２４】
更に、前記ミシン目刃が前記グラビア版の軸方向に沿って、または、軸方向から傾斜した方向に切削加工によって形成されているグラビア版である。
【００２５】
上記の３段落に、本発明の1つ目の形態であるグラビア版の特徴を記したが、この特徴を持つミシン目刃を設けたグラビア版と、自己粘着層を設けたニップ圧胴とでフィルムを圧接しインライン工程でのミシン目を付与するものであり、ミシン目刃の周囲に溝があれば、溝にフィルムを介して自己粘着層が押し込まれ、ミシン目刃を強くフィルムに押し当てることで、ミシン目が入りを、容易に、また安定することができる。
【００２６】
ミシン目とは、ミシン目刃の刃先がフィルムを貫通し、ミシン目に沿ってフィルムを破断し易くするものである。該フィルムを、包装材に使用すればミシン目に沿って開封機能を付与できるものである
【００２７】
本発明の1つ目の形態である、ミシン目刃を設けたグラビア版について、図をもって説明する。
【００２８】
図２から図４は、請求項３から請求項５のグラビア版の例を示した図である。図にミシン目刃（２０）、ミシン目刃刃先（２１）、ミシン目刃の周囲の溝（２２）、段差部（２３）を示す。図４においては、段差部（２３）がないが、段差部（２３）を０ｍｍとした場合の図である。図を、比較すれば解るように、段差部（２３）からミシン目刃先（２２）の高さが低くなれば、ミシン目刃の周囲の溝（２２）の幅は広くなる。これは、ニップ圧胴表面の自己粘着層が溝に、押し込まれやすくなることで段差部からミシン目刃刃先までの高さを調整しているのと同じ効果がある。ニップ圧胴表面の自己粘着層については、後に記すこととする。
【００２９】
図５、図６に、上記のグラビア版に設けるミシン目刃を構成する寸法関係図を示す。  図５は、グラビア版の断面図、図６は、ミシン目刃部分の寸法関係拡大斜視図である。図６には、段差部（２３）を破線で示した。次に、図５、図６の説明をする。
【００３０】
任意のミシン目刃を設けたグラビア版は、ミシン目刃の両側に設けられる段差部（２３）の寸法（Ａ）は、０ｍｍから２０ｍｍで、ミシン目刃（２０）の周囲に設けられる溝（２２）の幅（Ｂ）は、０，２ｍｍから２、５ｍｍ、深さ（Ｃ）は、１、５ｍｍ以内で、連続して設けられるミシン目刃の刃先長さ（Ｄ）は、０，２５ｍｍから１，５ｍｍで、刃先間に設けられる溝（２４）の間隔（Ｅ）は、０，２ｍｍから１ｍｍ、ミシン目刃の幅（Ｇ）は１ｍｍ以内、高さ（Ｈ）１，５ｍｍ以内のミシン目刃で，溝の深さを除いた段差部（２３）から刃先（２１）の実刃高さ（Ｉ）は、０ｍｍから０，４ｍｍで構成される。
【００３１】
ミシン目刃の間に設けられる溝の最深部までの深さを、図に（Ｆ）で示したが、（Ｆ）は（Ｈ）と近似である。
（尚、段差部が溝に向かって、わずかな傾斜がある場合、傾斜をＲ部とみなし溝とすれば、溝は２０ｍｍとなるが、わずかな傾斜が、段差部１０ｍｍに対する傾斜が、０、５ｍｍ以内で、あればこれを段差部とした。）
【００３２】
このように構成されたミシン刃は、前記溝（２４）にニップ圧胴に設けられた自己粘着層がフィルムを介して押し込まれることにより、フィルムにミシン目の切込みを設けることを特徴とする。
【００３３】
尚、本発明において、＜溝＞の定義として、「ミシン目の近傍に位置する段差部のエッジにＲ部を設ける場合、Ｒ部は段差部より低くなるため、Ｒ部のエッジが溝の一方で、もう一方は、ミシン目刃の両端にあたる段差部高さに位置するミシン目刃の部分とする。」とした。
【００３４】
本発明の２つ目の形態である、ミシン目刃を設けたグラビア版は、ミシン目刃の刃先が前記グラビア版の円周上、または版面の円周上の位置より高くに設けられたものであり、グラビア版の版面に沿って設けたミシン目刃の両側は段差部とし、該段差部の中央に設けられた埋込部に、予め用意するミシン目刃が形成されている板状刃を埋め込み、ミシン目刃の周囲は前記段差部より、深い溝が設けられる。
【００３５】
本発明のグラビア版は、円柱上のグラビア版の表面に段差部を設け、該段差部にミシン目刃を埋め込む埋込部を形成し、該埋込部にミシン目刃を装着し、更に前記ミシン目刃の両サイド、及びミシン目刃の刃先と刃先の間には、前記段差部より深い溝が形成されてなることを特徴とする。
【００３６】
更に、前記グラビア版において、前記ミシン目刃の刃先が前記グラビア版の円周上に、または、該円周を超える位置まで形成されているグラビア版。
【００３７】
上記の２段落に、本発明の２つ目の形態であるグラビア版の特徴を記したが、この特徴を持つミシン目刃を設けたグラビア版と、自己粘着層を設けたニップ圧胴とでフィルムを圧接しインライン工程でのミシン目を付与するものであり、ミシン目刃の周囲に溝があれば、溝にフィルムを介して自己粘着層が押し込まれ、ミシン目刃を強くフィルムに押し当てることで、ミシン目が入り易くすることができる。
【００３８】
本発明の２つ目の形態である、ミシン目刃を設けたグラビア版について、図をもって説明する。
【００３９】
図７から図９は、請求項６、請求項７のグラビア版の例を示した図である。図にミシン目刃（２０）、ミシン目刃刃先（２１）、ミシン目刃の周囲の溝（２２）、段差部（２３）を示す。図９においては、段差部（２３）がないが、段差部（２３）を０ｍｍとし、ミシン刃の刃先を版面の円周上の位置より高くに設けた場合の図である。図を、比較すれば解るように、段差部（２３）からミシン目刃先（２２）の高さが低くなれば、溝（２３）の幅は広くなる。これは、ニップ圧胴表面の自己粘着層が溝に、押し込まれやすくなることでミシン目刃の高さを調整しているのと同じ効果がある。ニップ圧胴表面の自己粘着層については、後に記すこととする。
【００４０】
図１０、図１１に、上記のグラビア版に設けるミシン目刃を構成する寸法関係図を示す。  図１０は、グラビア版の断面図、図１１は、板状ミシン目刃のミシン目刃の一部分の斜視図である。次に、図１０、図１１の説明をする。
【００４１】
任意のミシン目刃を設けたグラビア版は、先ず、予め用意するミシン目刃が形成される板状ミシン目刃（３４）の全体寸法は、厚み（Ｇ）が０，６ｍｍから１，５ｍｍ、高さ（Ｊ）が１０ｍｍから３０ｍｍ、切削された刃部分の高さ（Ｋ）は、１、０ｍｍから３、０ｍｍ、長さは任意に選択すればよく１面にミシン目刃が設けられている。該ミシン目刃には、ミシン目刃の刃先長さ（Ｄ）は、０，２５ｍｍから１，５ｍｍで、刃先間に設けられる溝（２４）の間隔（Ｅ）は、０，２ｍｍから１ｍｍで、刃先間に設けられる溝の深さ（Ｈ）が０，２ｍｍから１ｍｍの刃が設けられた板状ミシン目刃（３４）を埋込部に埋め込めばよい。埋め込まれた状態での刃の寸法は、ミシン目刃（２０）の両側に設けられる段差部（２３）の寸法（Ａ）は、０ｍｍから２０ｍｍで、ミシン目刃（２０）の周囲に設けられる溝（２２）の幅（Ｂ）は、０，２ｍｍから２，５ｍｍ、深さ（Ｃ）が３，０ｍｍ以内で、溝の深さを除いた段差部（２３）から刃先（２１）の実刃高さ（Ｉ）は、０ｍｍから０，５ｍｍである。また、ミシン刃をグラビア版の円周上に出す場合の出代（Ｌ）は、０，５ｍｍ以内とする。ミシン目刃先が円周状に出た場合を、図１０に破線で示した。
（尚、段差部が溝に向かって、わずかな傾斜がある場合、傾斜をＲ部とみなし溝とすれば、溝は２０ｍｍとなるが、わずかな傾斜が、段差部１０ｍｍに対する傾斜が、０、５ｍｍ以内で、あればこれを段差部とした。）
【００４２】
このように構成されたミシン刃は、前記溝（２４）にニップ圧胴に設けられた自己粘着層がフィルムを介して押し込まれることにより、フィルムにミシン目の切込みを設けることを特徴とする。
【００４３】
尚、本発明において、＜溝＞の定義として。「ミシン目の近傍に位置する段差部のエッジにＲ部を設ける場合、Ｒ部は段差部より低くなるため、Ｒ部のエッジが溝の一方で、もう一方は、ミシン目刃の両端にあたる段差部高さに位置するミシン目刃の部分とする。」とした。
【００４４】
前記ミシン目刃が、前記グラビア版の全幅に亘ってまたは部分的に間欠的に配置されている請求項３〜８の何れかに記載のグラビア版。
【００４５】
本発明のグラビア印刷方法に使用するグラビア版は、任意の形状でミシン目を、グラビア印刷行った絵柄フィルムに設けることができる。
【００４６】
図１２から図１４は、本発明のグラビア版に設けたミシン目刃を示したものであり、図１２は、版面上で幅方向に直線に設けるであるミシン目（２５）の図、図１３は、版円周方向に設ける２次曲線のミシン目（２６）の図、図１４は、版面上に任意の形状で設ける３次曲線のミシン目（２７）の図など、自由にミシン目を選択しグラビア版とすることができる。
【００４７】
図１５に、本発明のグラビア版である図１２に示した〇部分の断面及び拡大斜視図を示す。  
【００４８】
前記ミシン目刃が前記グラビア版の軸方向に配置されたものにおいて、前記段差部の横幅並びに該段差部の前記円周上からの深さが、前記グラビア版及びニップ圧胴に振動を与えない範囲に設定されている請求項３〜８の何れかに記載のグラビア版。
【００４９】
本発明のグラビア印刷版を用いる印刷において、グラビア版に振動を与えない範囲にミシン目刃を設けるには、版幅方向に多くの直線刃を設けない工夫が必要となる。例えば、図１２において、図１６のようにミシン目を配置すれば、グラビア版及びニップ圧胴に振動を与えなくすることができる。
【００５０】
また、本発明のグラビア版において、段差部から版外周までの長さと、ミシン目刃の回りに設ける溝の幅は、ミシン目を設けるにあたり、ポイントとなることは、先に記載したが、ミシン目がフィルムに付与される最初の切れ口は、ミシン目刃の両エッジであり、どちらかのエッジを、又は両エッジを、ミシン目刃が貫通すれば、切刃（切れ口）はフィルムのミシン目部全体に伝播しミシン目を形成することになる。
【００５１】
従って、ミシン目刃の両端部を鋭角に仕上げることにより、ミシン目を設ける場合にグラビア版の段差部を短く、溝の幅を小さくすることで、ニップ圧胴に振動を与えなくすることができる。
【００５２】
図１７に、ミシン目を入れやすくする刃先両端部の加工部の例を図に示す。本方法は、ミシン目刃の刃先両端部の刃先角度を鋭利にするものであり、機械加工ではできないが刃先の仕上げ加工は熟練者が行うものであり、このような加工は手作業であれば容易なものである。更に、実施例１のｃ版においても、別のミシン目を入れやすくする刃先両端部の加工の例を示す。
【００５３】
本発明のグラビア印刷方法において、ミシン目刃を設けたグラビア版について記したが、該グラビア版で、印刷ユニットを使用しミシン目を付与するためにはニップ圧胴にも重要なポイントがある。
【００５４】
本発明のグラビア版に、印刷フィルムを介して圧接するニップ圧胴において、織布の表面側に合成樹脂がコートされ、更に非シリコン系離型剤がコートされたコート布と、該コート布の裏面側に付設された粘着剤層とで形成された自己粘着層がニップ圧胴の芯材外周に２層以上巻き付けられていることを特徴とする。
【００５５】
先ず、ニップ圧胴の表面に形成する層が、自己粘着層である必要性は、何回となくミシン目刃が入ることで、ニップ圧胴の表面に形成する層は細かく切断される、この切断においても層を形成するためには、層に自己粘着性が必要となる。織布の表面側に合成樹脂をコートされ、更に非シリコン系離型剤がコートされたコート布と、該コート布の裏面側に付設された粘着剤を介してニップ圧胴の芯材の外周に巻き付けたニップ圧胴であれば、ミシン目刃により織布は切断されても粘着層に混じることで層の構成は変化するが、織布の切断片は飛散しない。しかし、自己粘着性のない層であれば、ニップ圧胴の芯材の外周に巻き付けたクッション層などは自己粘着性がないために、印刷の進行に伴い反発性、クッション性が失われ、また、細かく裁断されることでフィルムに付着しグラビア印刷が施され、ミシン目を付与した印刷物とすることができなくなる。
【００５６】
自己粘着層の層厚みに関して、ミシン目刃は、実刃高さと自己粘着層が刃の周囲の溝に押し込まれる厚みを考慮すると自己粘着層の層厚みは、０，５ｍｍ以上必要である。０，６ｍｍ以上の自己粘着層を１層で形成し、織布の表面側に合成樹脂をコートしたコート布を厚くすれば、コート布の切断片は粘着剤に混ざりきらず  織布や合成樹脂の切断片が飛散する。また、粘着剤層を厚くすれば、グラビア印刷版とニップ圧胴の圧接で、粘着剤はミシン目刃周囲形状に容易に変形し刃先部の粘着剤層が薄くなって刃先への圧力は減少し、また刃先がニップ圧胴の芯材に当たることも予想できる。従って自己粘着層において、これらのことを回避し、切断においても層を形成し、層に自己粘着性を保持するためには、織布の表面側に合成樹脂をコートし、更に非シリコン系離型剤がコートしたコート布を、コート布の裏面側に付設した粘着剤の自己粘着層の厚みを、０，２ｍｍから０，４ｍｍとして、該自己粘着層を２層以上に積層し、積層された総厚みを０，４ｍｍから１，６ｍｍの範囲で自己粘着層として形成すればよい。
【００５７】
尚、織布の表面側に合成樹脂をコートし、更に非シリコン系離型剤をコートしたコート布と、コート布の裏面側に付設された粘着剤との厚み比率は、７対３から３対７の範囲でよく、好ましくは６対４から４対６の範囲内の比率で形成するとよい。
【００５８】
本発明の包装材は、請求項１又は請求項２のグラビア印刷方法により製造された、フィルムに任意の絵柄の印刷と任意のミシン目との見当が合ったグラビア印刷物を製造し、該グラビア印刷物を用いて、アルミ、セロハン、その他に引き裂き性を有する基材フィルム又は引裂き性が付与された基材フィルム及びシール性を有するフィルムを積層したことを特徴とする。
【００５９】
フィルムの積層方法や特性については、実施例に詳細に記載する。
【００６０】
本発明の包装材は、ミシン目に沿って開封が容易であるという機能性だけでなく、開封性を付与するミシン目加工が、グラビア印刷機で、絵柄のグラビア印刷と同時に行えることで、工程短縮、製造時間の短縮が図れ、また、グラビア印刷機で、任意の形状のミシン目が付与でき、新たなミシン目加工専用機の購入などの必要はなく、製造費用においても、優位な包装材とすることができた。
【発明の効果】
【００６１】
本発明のグラビア印刷方法により、グラビア印刷機を保有していれば、本発明のグラビア版と本発明のニップ圧胴を用いることで、ミシン目が付与された印刷物を製造することができる。また、グラビア版で任意のミシン目をグラビア印刷機で付与することができ、各種包装材への使用範囲、応用範囲を広くすることができた。
【００６２】
更に、開封性を付与するミシン目加工が、グラビア印刷機で、絵柄のグラビア印刷と同時に行えることで、工程短縮、製造時間の短縮が図れ、また、グラビア印刷機で、任意の形状のミシン目が付与でき、新たなミシン目加工専用機の購入などの必要はなく、製造費用においても、優位な包装材とすることができた。
【図面の簡単な説明】
【００６３】
【図１】本発明のグラビア方法概要図
【図２】請求項３、４、５のグラビア版の例を示した図
【図３】請求項３，４，５のグラビア版の別な例を示した図
【図４】請求項３、４、５のグラビア版の別な例を示した図
【図５】請求項３、４、５のグラビア版に設けるミシン目刃を構成する寸法関係図
【図６】請求項３、４、５のグラビア版に設けるミシン目刃部分の寸法関係拡大斜視図
【図７】請求項６、７のグラビア版の例を示した図
【図８】請求項６、７のグラビア版の別な例を示した図
【図９】請求項６、７のグラビア版の別な例を示した図
【図１０】請求項６、７のグラビア版に設けるミシン目刃を構成する寸法関係図
【図１１】請求項６、７のグラビア版に設けるミシン目刃部分の寸法関係拡大斜視図
【図１２】版面上で幅方向に直線に設けるであるミシン目の図
【図１３】版円周方向に設ける２次曲線のミシン目の図
【図１４】版面上に任意の形状で設ける３次曲線のミシン目の図
【図１５】グラビア版である図１２に示した〇部分の断面及び拡大斜視図
【図１６】図１２のミシン目刃の配置位置変更した図
【図１７】ミシン目を入れやすくする刃先端部の加工例図
【図１８】刃先に対し４５度の角度で溝を形成した刃物板          （ミシン目を入れやすくする刃先端部の別な加工例図）
【発明を実施するための形態】
【実施例１】
【００６４】
グラビア印刷版はミシン目刃に合わせた切れ目線を設けた２種のグラビア印刷版を準備し、グラビア版は３版を準備し、ニップ圧胴は２胴を準備し、印刷原反は３種を準備し、印刷方法は反転装置の使用有、無の２通りで、本発明を実施した。詳細を以下に記載し、結果を表にまとめる。
【００６５】
ミシン目に合わせた、前記グラビア印刷版は完全に合わせるためには、反転、非反転を考慮すると４印刷版が必要だ、見当の確認ができれば良しとし、２印刷版に省略した。また、絵柄版は、同円周のグラビア印刷版で在版３版を流用使用した。
【００６６】
グラビア版は、ａ版、ｂ版、ｃ版の３版とした。
【００６７】
ａ版は、版円周７００ｍｍ幅１１００ｍｍの鉄シリンダーに、円周に４面幅方向に３列の図１４に示した曲線でミシン目刃を設けた。１ヵ所のミシン目長さは、概ね２００ｍｍであった。
【００６８】
グラビア版作成は、旋盤加工で行い、刃先の仕上げ加工は熟練者が行った。刃先形状は、図３に近いものである。刃先寸法は、図５、６の寸法図の記号で示すと、Ｉ：０，２ｍｍ、Ｃ：０，３ｍｍ、Ｂ：１，２ｍｍ、Ｇ：０，２５ｍｍ、Ｄ：０，３５ｍｍ、Ｅ：０，３ｍｍであった。こうして作成した版の焼き入れは、窒化処理でおこなった。
【００６９】
ｂ版は、版円周７００ｍｍ幅１１００ｍｍのシリンダーに、円周に４面幅方向に３列の図１２に示した版幅方向に一直線でミシン目刃を設けた。１ヵ所のミシン目長さは、２００ｍｍであった。
【００７０】
グラビア版作成は、旋盤加工で行い、ミシン目刃の加工を行った刃物板を埋込部などの加工をした。刃先形状は、図８に近いものである。前記刃物板の寸法は、図１１の寸法図の記号で示すと、Ｊ：２０ｍｍ、Ｇ：０，８ｍｍ、Ｄ：０，３ｍｍ、Ｅ：０，２５ｍｍ、Ｈ：０，６ｍｍで、長さ２００ｍｍで、このミシン目刃を使用した。
ｂ版の仕上がり寸法は、図１０の寸法図の記号で示すと、Ｉ：０，２ｍｍ、Ｃ：１，４ｍｍ、Ｂ：１，２ｍｍであった。段差部と溝とのコーナーは、０，９ｍｍ程度の角取りとした。
【００７１】
ｃ版は、ｂ版と同様に、版円周７００ｍｍ幅１１００ｍｍのシリンダーに、円周に４面幅方向に３列の図１６に示した版幅方向に一直線でミシン目刃を設けた。１ヵ所のミシン目長さは、２００ｍｍであった。
【００７２】
グラビア版作成は、放電加工で行い、ミシン目刃の加工を行った刃物板の埋込部などの加工をした。刃先形状は、図９に近いものである。ミシン目刃の加工を行った刃物板は、ｂ版に使用したものと異なり、図１８に刃先より見た図で示すように、刃先に対し４５度の角度で溝を形成した刃物板を使用した。刃物板の寸法は、ｂ版と同じである。このように、刃先に対し垂直ではなく角度を振った溝を設けるとミシン目刃の両端は鋭利になりフィルムに突き刺さり易くなることでミシン目が入りやすくなる。ｃ版の仕上がり寸法は、図１０の寸法図の記号で示すと、Ｌ：０、２ｍｍ（円周上より０、２ｍｍ刃先が突出）、Ｃ：１、４ｍｍ、Ｂ：０、８ｍｍであった。段差部と溝とのコーナーは、０、５ｍｍＲの角取りを行った。
【００７３】
ニップ圧胴は、ａ胴、ｂ胴の２胴とした。  
【００７４】
ニップ圧胴のａ胴は、直径２００ｍｍのニップ圧胴芯材に、織布の表面側に合成樹脂をコートし、更に非シリコン系離型剤がコートしたコート布を、コート布の裏面側に付設された粘着剤層とで形成された自己粘着層をニップ圧胴の芯材外周に４層巻き付けた。自己粘着層の厚みは、０、３ｍｍで、コート布の厚みと粘着剤層の厚みとは、１対１程度であった。４層で形成した自己粘着層の厚みは、１、２ｍｍであった。  
【００７５】
ニップ圧胴のｂ胴が、ニップ圧胴のａ胴と異なる点は、自己粘着層をニップ圧胴の芯材外周に３層巻き付けた点である。３層で形成した自己粘着層の厚みは、０、９ｍｍであった。
【００７６】
印刷原反として、延伸ポリプロピレンフィルム２０ミクロン、延伸ポリエステルフィルム１６ミクロン、ナイロンフィルム１５ミクロンの３種を２４０００ｍ準備した。
【００７７】
グラビア印刷版は、版円周７００ｍｍ幅１１００ｍｍでａ印刷版、ｂ印刷版のグラビア印刷版２版を用意し、絵柄はミシン目刃を設けたａ版、ｂ版のミシン目に合わせら絵柄とした。（インキ面からのミシン目に見当が合う。）尚、他に、版円周７００ｍｍ幅１１００ｍｍの絵柄が設けられた在版を３版用意しグラビア印刷版として使用した。
【００７８】
以上の資材を準備して次のグラビア印刷を行った。グラビア印刷機は８色機を使用し、１ユニットから３ユニットは、印刷を行なわず空通しユニットとし、４，５，６ユニットに在版の絵柄が設けられた３版を、第７ユニットにａ、ｂ印刷版を交代に、第８ユニットにａ、ｂ、ｃ版を交代に、第８ユニットのニップ圧胴としてａ、ｂ胴を交代にセットし、表１に示す条件でグラビア印刷を行なった。表１には、印刷結果を、ＯＫ，ＯＵＴ、及び４０００ｍ印刷後の、ミシン目の切れ味変化を確認した結果も表示する。最後尾に条件ごとのナンバリングＮＯ．を付した。結果は、全て問題なかった。
【００７９】
更に、ＮＯ．１、６、９、１２、１５、１７については、別途各２万ｍの印刷を行なったが、ミシン目の形成には変化がなく良好であった。
【００８０】
【表１】
2018149707.tif 000003
【実施例２】
【００８１】
実施例１で作成した、ミシン目を付与した印刷物を使用し、後工程である積層工程について確認を行った。
【００８２】
ドライラミネートでの積層においては、印刷面側よりミシン目を付与した印刷物、非印刷面側よりミシン目を付与した印刷物共に、ドライラミネート接着剤（固形分塗布量：２，５ｇ／平方メートル）塗布において、ミシン目を通しての非塗布面への浸み出しは認められなかった。被貼り合せフィルムに付いては、どのようなフィルムを選択しても問題なく貼り合わすことができた。
【００８３】
ポレエチレン押し出しによるラミネートにおいては、ＡＣ剤（イミン系、ブタジエン系、イソシアネート系）を、金属版で持ち上げられたコート液を、印刷フィルムに塗布し、該金属版とニップ圧胴でフィルムからコート液を絞る方法でコートした後のラミネートを確認した。ＡＣ剤がミシン目を通しての非塗布面への浸み出しが認められ、ＡＣ剤コートのニップ圧胴への転移があった。特に、イソシアネート系は、使用不可と判断した。イミン系、ブタジエン系はＡＣ剤コートのニップ圧胴への転移は認められたが、ラミネート製品の外観では、判別できるものではなかった。
【００８４】
従って、本発明のグラビア印刷とミシン目加工のインライン加工において、ミシン目加工の前に印刷機の１ユニットを使い印刷面にＡＣ剤をコートするのが賢明であるとの判断に至った。特に、イソシアネート系ＡＣ剤を使用する場合は、印刷インラインでのＡＣ剤コートにしなければならない。
【００８５】
上記の確認により、一部制約はあるが、本発明のグラビア印刷機で、絵柄の印刷と開封性付与のためのミシン目加工を行った印刷物は、全ての包装材仕様に適用できることが確認できた。
【００８６】
本発明のグラギア印刷方法により製造した印刷物を用い、包装材とするための積層について確認した内容を、表２にした。
【００８７】
【表２】
2018149707.tif 000004
【符号の説明】
【００８８】
Ａ    段差部の寸法
Ｂ    溝の幅
Ｃ    溝の深さ
Ｄ    ミシン目刃の刃先長さ
Ｅ    刃先間に設けられる溝の間隔
Ｆ    刃先間に設けられる溝の深さ
Ｇ    ミシン目刃の幅
Ｈ    ミシン目刃の高さ
Ｉ    溝の深さを除いた実刃高さ
Ｊ    板状ミシン目刃の全長幅長さ
Ｋ    板状ミシン目刃の刃物部分の長さ
Ｌ    円周上より飛び出た刃の長さ
Ｍ    板状ミシン目刃の溝の深さ
１    フィルム
２    給紙部
３    テンションコントローラ―
４    インキパン
５    インキ
６    ヒャニッシャーローラー
７    グラビア印刷版
８    ドクター刃
９    ニップ圧胴
１０  乾燥装置
１１  クーリングローラー
１２  ミシン目刃を設けたグラビア版
１３  自己粘着層を設けたニップ圧胴
１４  排紙部
１５  フィルムの反転装置
２０  ミシン目刃
２１  ミシン目刃刃先
２２  ミシン目刃の周囲の溝
２３  段差部
２４  刃先間に設けられる溝
２５  直線に設けるであるミシン目
２６  版円周方向に設ける２次曲線のミシン目
２７  任意の形状で設ける３次曲線のミシン目
２８  刃先端部の加工部
２９  図１５に拡大図で示す部分
３０  刃先端部の鋭利にした部分
３１  板状ミシン目刃の厚み
３２  板状ミシン目刃の溝
３３  板状ミシン目刃の最深溝部
【図１】
2018149707.tif 000005
【図２】
2018149707.tif 000006
【図３】
2018149707.tif 000007
【図４】
2018149707.tif 000008
【図５】
2018149707.tif 000009
【図６】
2018149707.tif 000010
【図７】
2018149707.tif 000011
【図８】
2018149707.tif 000012
【図９】
2018149707.tif 000013
【図１０】
2018149707.tif 000014
【図１１】
2018149707.tif 000015
【図１２】
2018149707.tif 000016
【図１３】
2018149707.tif 000017
【図１４】
2018149707.tif 000018
【図１５】
2018149707.tif 000019
【図１６】
2018149707.tif 000020
【図１７】
2018149707.tif 000021
【図１８】
2018149707.tif 000022
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
グラビア印刷を施す印刷ユニットがフィルムの搬送経路に沿って複数設けられているグラビア印刷機を用い、前記フィルムに任意の絵柄の印刷を行ない、後段の印刷ユニットに設けられるグラビア印刷版が前記任意の絵柄に見当を合わせた任意のミシン目刃を設けたグラビア印刷版（以下、ミシン目刃を設けたグラビア印刷版を総称し「ミシン目付与部材」と呼ぶ）であり、ニップ圧胴が、織布の表面側に合成樹脂をコートし、更に非シリコン系離型剤をコートしたコート布を、コート布の裏面側に付設された粘着剤（以下、コート布と粘着剤を総称し「自己粘着層」と呼ぶ）を介してニップ圧胴の芯材の外周に巻き付けたニップ圧胴であり、前記ミシン目付与部材と自己粘着層を設けた前記ニップ圧胴で圧接される間を前記任意の絵柄の印刷された前記フィルムを通し、前記任意の絵柄の印刷に、前記任意の絵柄の見当を合わせ、前記ミシン目刃によりミシン目を形成することを特徴とするグラビア印刷方法
【請求項２】
請求項1に記載のグラビア印刷方法において、更に任意の絵柄の印刷を行なった後に、前記フィルムを反転装置に搬送し反転させることを特徴とするグラビア印刷方法
【請求項３】
請求項１又は請求項２に記載のグラビア印刷方法に使用するミシン目付与部材は、グラビア印刷を施す印刷ユニットがフィルムの搬送経路に沿って複数設けられているグラビア印刷機の後段の印刷ユニットに、グラビア印刷版の代わりに設けられる円柱状の前記ミシン目付与部材であって、前記ミシン目付与部材のミシン目刃は、該ミシン目刃の刃先が前記ミシン目付与部材の円周上に位置し周囲に設けた平坦な段差部より突出した該ミシン目刃で、更に前記ミシン目刃の両サイド、及び前記ミシン目刃の刃先と刃先の間には、前記段差部より深い溝が加工形成されてなることを特徴とするミシン目付与部材。
【請求項４】
前記ミシン目刃が前記ミシン目付与部材の軸方向に沿って、または、軸方向から傾斜した方向に放電加工又は切削加工又は手彫加工によって形成されている請求項３に記載のミシン目付与部材。
【請求項５】
請求項１又は請求項２に記載のグラビア印刷方法に使用するミシン目付与部材は、グラビア印刷を施す印刷ユニットがフィルムの搬送経路に沿って複数設けられているグラビア印刷機の後段の印刷ユニットにおいて、グラビア印刷版の代わりに設けられる円柱状のミシン目付与部材であって、前記ミシン目付与部材の表面に段差部を設け、該段差部にミシン目刃を埋め込む埋込部を形成し、該埋込部にミシン目刃を装着し、更に前記ミシン目刃の両サイド、及びミシン目刃の刃先と刃先の間には、前記段差部より深い溝が形成されてなることを特徴とするミシン目付与部材。
【請求項６】
請求項５に記載のミシン目付与部材において、前記ミシン目刃の刃先が前記ミシン目付与部材の円周上に、または、該円周を超える位置まで形成されているミシン目付与部材。
【請求項７】
前記ミシン目刃が、前記ミシン目付与部材の全幅に亘ってまたは部分的に間欠的に配置されている請求項３〜６の何れかに記載のミシン目付与部材。
【請求項８】
前記ミシン目刃が前記ミシン目付与部材の軸方向に配置されたものにおいて、前記段差部の横幅並びに該段差部の前記円周上からの深さが、前記ミシン目付与部材に振動を与えない０，５ｍｍ以内の範囲に設定されている請求項３〜７の何れかに記載のミシン目付与部材。
【請求項９】
請求項１又は請求項２に記載のグラビア印刷方法に使用する自己粘着を設けたニップ圧胴は、織布の表面側に合成樹脂がコートされ、更に非シリコン系離型剤がコートされたコート布と、該コート布の裏面側に付設された粘着剤層とで形成された自己粘着層がニップ圧胴の芯材外周に２層以上巻き付けられていることを特徴とするニップ圧胴。
【請求項１０】
請求項１又は請求項２のグラビア印刷方法により製造された、フィルムに任意の絵柄の印刷と任意のミシン目との見当が合ったグラビア印刷物を製造し、該グラビア印刷物を用いて、アルミ、セロハン、その他に引き裂き性を有する基材フィルム又は引裂き性が付与された基材フィルム及びシール性を有するフィルムを積層したことを特徴とする包装材。
【手続補正２】
【補正対象書類名】明細書
【補正対象項目名】全文
【補正方法】変更
【補正の内容】
【発明の詳細な説明】
【技術分野】
【０００１】
包装材の開封性を良くするためにミシン目加工は多く使われている。紙器製品にもミシン目が使われるが、本来密封性を要求される包装材ではないため包装材を貫通したミシン目が付与される。フィルムを使用する軟包装材は、内容物を密封する機能を要求されるために積層されたフィルムの一部、特に切れにくいナイロン、ポリエステル、ポリプロピレンと言った延伸フィルムにミシン目を付与して積層することが求められる。本発明は、軟包装材の開封性付与に関する。
【背景技術】
【０００２】
軟包装材の開封性は、種々の方法で工夫されている。その中の一つの方法が、積層された軟包装材にミシン目を入れる方法である。最近は、レーザー光でミシン目を付与し開封性を高めた軟包装製品もある。しかし、一般的な方法としては、物理的にミシン目刃を用いてミシン目を入れる方法である。その一つが、切刃を設けたロータリーダイカッターとアンビルロールとの間に基材フィルムを通し所望の切断部分を設ける方法や切刃保護のためにクッション層を設けたアンビルロールを使用する方法などが提案されている。
【０００３】
また、包装製品のシール部になる部分に、予め貫通した細かな切込みを入れることで、軟包装材のシール部のどこからでも開封できるようにした包装材もある。この細かな切込みを入れる方法として、刃付きローラと受けローラには粘着層が設けられ更に非粘着層が被覆されたものを用いる方法などが提案されている。
【０００４】
その他にも、多くの軟包装材の開封性を高める方法や包装形態などの提案がなされている。それらの、いくつかを先行技術文献の項に記載する。
【先行技術文献】
【特許文献】
【０００５】
【特許文献１】特開平３−３２５９８
【特許文献２】特開平９−３１５４４４
【特許文献３】特開２０００−１０８０９４
【特許文献４】特開２００１−１８９９１
【特許文献５】特開２００１−２８７７６７
【特許文献６】特開２００２−２５５１９９
【特許文献７】特開２００５−１６２３０３
【特許文献８】特開２０１０−３０６９１
【発明の概要】
【発明が解決しようとする課題】
【０００６】
グラビア印刷機によりグラビア印刷を行った、後段の印刷ユニットを用い、ミシン目を設けたミシン目付与部材と自己粘着層を外周に設けたニップ圧胴の間に、前段印刷ユニットで印刷を行ったフィルムを通し印刷絵柄に見当を合わせてミシン目付与部材でミシン目を付与するグラビア印刷方法、及び本方法に用いることができるミシン目付与部材とニップ圧胴、及び本方法でミシン目が付与されたフィルムを包装材に使用することを課題とする。
【課題を解決するための手段】
【０００７】
本発明のグラビア印刷方法は、グラビア印刷を施す印刷ユニットがフィルムの搬送経路に沿って複数設けられているグラビア印刷機を用い、前記フィルムに任意の絵柄の印刷を行ない、後段の印刷ユニットに設けられるグラビア印刷版が、前記任意の絵柄に見当を合わせた任意のミシン目刃を設けたグラビア印刷版（以下、ミシン目刃を設けたグラビア印刷版を総称し「ミシン目付与部材」と呼ぶ）であり、ニップ圧胴が、織布の表面側に合成樹脂をコートし、更に非シリコン系離型剤をコートしたコート布を、コート布の裏面側に付設された粘着剤（以下、コート布と粘着剤を総称し「自己粘着層」と呼ぶ）を介してニップ圧胴の芯材の外周に巻き付けたニップ圧胴であり、前記ミシン目付与部材と自己粘着層を設けた前記ニップ圧胴で圧接される間を前記任意の絵柄の印刷された前記フィルムを通し、前記任意の絵柄の印刷に、前記任意の絵柄の見当を合わせ、前記ミシン目刃によりミシン目を形成することを特徴とする。
【０００８】
上記に記載のグラビア印刷方法において、更に任意の絵柄の印刷を行なった後に、前記フィルムを反転装置に搬送し反転させ、前記任意の絵柄の見当を合わせ、非印刷面側から前記ミシン目刃によりミシン目を形成することを特徴とする。
【０００９】
印刷ユニットを1ユニットから１０ユニット程度までを有するグラビア印刷機は、多くある。本発明は、１印刷ユニットを使用しミシン目を付与できるので、２印刷ユニットを有するグラビア印刷機であれば、１印刷ユニットを絵柄の印刷に、後段の１印刷ユニットをミシン目の付与する加工に使用すれば本発明を実施することができる。
【００１０】
本発明のグラビア方法を、図１に示す。印刷ユニットが８ユニットからなるグラビア８色印刷機をもって１例として説明する。印刷が施されるフィルム（１）は、給紙部（２）より繰出され搬送路に沿って搬送される。まずテンションコントローラ―（３）に搬送されたのち、印刷ユニットでは、インキパン（４）に貯えられたインキ（５）がフャニッシャ―ロール（６）でグラビア印刷版（７）に塗布され、不要なインキはドクター（８）で除去され、該グラビア印刷版（７）とニップ圧胴（９）との間をフィルムは搬送、圧接されインキはフィルムに転写され、乾燥装置（１０）に搬送されクーリングローラー（１１）で冷却、搬送され第１ユニットでのグラビア印刷は完了する。こうして所望の色インキが第１ユニットから第７ユニットまで使用され、所望の絵柄の印刷を行なうことができる。
【００１１】
ついで、図１に示す第８ユニットで、ミシン目加工を行うが、前段までの印刷ユニットと異なる点は、インキパン（４）、インキ（５）、フャニッシャ―ロール（６），ドクター（８）が設けられていない点と、前段ユニットでは、グラビア印刷版（７）とニップ圧胴（９）とが設けられていたが、第８ユニットでは、ミシン目刃を設けたミシン目付与部材（１２）と自己粘着層をニップ圧胴の芯材の外周に巻き付けたニップ圧胴（１３）とが設けられている点と、乾燥装置（１０）に熱風が送風されいない点である。更に、フィルムは搬送され排紙部（１４）で巻き上げられ、印刷は完了する。
【００１２】
また、本発明のグラビア印刷方法において、更に任意の絵柄の印刷を行なった後に、前記フィルムを反転装置に搬送し反転させることができる。
【００１３】
これにより、医療機器などの目に見えないインキ粉等も問題になる包装材にも安心して使用することができる。
【００１４】
グラビア印刷方法の場合、反転装置を使用しなければ、印刷面側からミシン目刃でミシン目を入れることになるが、絵柄のグラビア印刷を行った後に、反転装置（１５）に印刷フィルムを搬送・経由して、第８ユニットへ搬送すれば、非印刷面側からミシン目刃でミシン目を入れることができる。
【００１５】
このように、インキを使用し絵柄印刷をしたフィルムに、絵柄に見当を合わせて、後段の印刷ユニットで印刷絵柄に見当を合わせてミシン目を付与すれば、グラビア印刷とインラインでミシン目加工ができるものである。本発明においては、図１で示した、ミシン目刃を設けたミシン目付与部材と、自己粘着層を有するニップ圧胴が、通常のグラビア印刷と異なる点であり、この点について詳しく説明をしていく。
【００１６】
グラビア印刷機の印刷部であるグラビア印刷版とニップ圧胴の圧接力は、一般的には４００ｋｇから１０００ｋｇの圧力とされる。本発明の印刷ユニットを用いる場合もミシン目刃を設けたミシン目付与部材と、自己粘着層を有するニップ圧胴とで加圧を行いてミシン目加工をする。
【００１７】
したがって、ロータリーダイカッターとアンビルロールを用い、ダイカッターの刃先とアンビルロールの隙間を管理し両者を圧接せずにミシン目加工をするものとは全く異なるものである。
【００１８】
本発明のグラビア印刷方法に用いる、ミシン目を付与するミシン目付与部材は刃先の管理だけでなく、刃の部分以外が平滑な状態を必要とする。従って、ミシン目を付与するミシン目付与部材は、ミシン目を付与するミシン目刃の周囲を除き、色インキを印刷するグラビア印刷と同様の平滑な状態とすることが必要となる。
【００１９】
一方、ロータリーダイカッターを作製する場合も、真円で平滑な状態のロールから刃先を旋盤等で削り出し作成するため、刃先以外の表面の加工面積は広く表面切削研磨方法は、真円表面を研磨方法と異なり凹凸が大きくあり、本発明のグラビア印刷方法に用いるミシン目付与部材とは全く異なるものである。
【００２０】
ミシン目を持つミシン目付与部材は、二つの方法で作成することができ、どちらの方法のミシン目付与部材も本発明のグラビア印刷方法に使用することができる。
【００２１】
本発明の1つ目の形態であるミシン目刃を設けたミシン目付与部材は、ミシン刃の刃先が前記ミシン目付与部材の円周上の位置に設けられるものであり、ミシン目付与部材の部材表面に沿って切削により設けたミシン目刃の両側は段差部とし、該段差部の中央に設けるミシン目刃の周囲は前記段差部より深い溝が設けられる。
【００２２】
本発明のグラビア印刷方法に使用するミシン目付与部材は、グラビア印刷を施す印刷ユニットがフィルムの搬送経路に沿って複数設けられているグラビア印刷機の後段の印刷ユニットに、グラビア印刷版の代わりに設けられる円柱状の前記ミシン目付与部材であって、前記ミシン目付与部材のミシン目刃は、該ミシン目刃の刃先が前記ミシン目付与部材の円周上に位置し周囲に設けた平坦な段差部より突出した該ミシン目刃で、更に前記ミシン目刃の両サイド、及び前記ミシン目刃の刃先と刃先の間には、前記段差部より深い溝が加工形成されてなることを特徴とする。
【００２３】
前記ミシン目刃が前記ミシン目付与部材の軸方向に沿って、または、軸方向から傾斜した方向に放電加工又は切削加工又は手彫加工によって形成されている請求項３に記載のミシン目付与部材であることを特徴とする。
【００２４】
上記の２段落に、本発明の1つ目の形態であるミシン目付与部材の特徴を記したが、この特徴を持つミシン目刃を設けたミシン目付与部材と、自己粘着層を設けたニップ圧胴とでフィルムを圧接しインライン工程でのミシン目を付与するものであり、ミシン目刃の周囲に溝があれば、溝にフィルムを介して自己粘着層が押し込まれ、ミシン目刃を強くフィルムに押し当てることで、ミシン目の入りを、容易に、また安定することができる。
【００２５】
ミシン目とは、ミシン目刃の刃先がフィルムを貫通し、ミシン目に沿ってフィルムを破断し易くするものである。該フィルムを、包装材に使用すればミシン目に沿って開封機能を付与できるものである
【００２６】
本発明の1つ目の形態である、ミシン目刃を設けたミシン目付与部材について、図をもって説明する。
【００２７】
図２から図４は、請求項３から請求項４のミシン目付与部材の例を示した図である。図にミシン目刃（２０）、ミシン目刃刃先（２１）、ミシン目刃の周囲の溝（２２）、段差部（２３）を示す。図４においては、段差部（２３）がないが、段差部（２３）を０ｍｍとした場合の図である。図を、比較すれば解るように、段差部（２３）からミシン目刃先（２２）の高さが低くなれば、ミシン目刃の周囲の溝（２２）の幅は広くなる。これは、ニップ圧胴表面の自己粘着層が溝に、押し込まれやすくなることで段差部からミシン目刃刃先までの高さを調整しているのと同じ効果がある。ニップ圧胴表面の自己粘着層については、後に記すこととする。
【００２８】
図５、図６に、上記のミシン目付与部材に設けるミシン目刃を構成する寸法関係図を示す。  図５は、ミシン目付与部材の断面図、図６は、ミシン目刃部分の寸法関係拡大斜視図である。図６には、段差部（２３）を破線で示した。次に、図５、図６の説明をする。
【００２９】
任意のミシン目刃を設けたミシン目付与部材は、ミシン目刃の両側に設けられる段差部（２３）の寸法（Ａ）は、０ｍｍから２０ｍｍで、ミシン目刃（２０）の周囲に設けられる溝（２２）の幅（Ｂ）は、０，２ｍｍから２、５ｍｍ、深さ（Ｃ）は、１、５ｍｍ以内で、連続して設けられるミシン目刃の刃先長さ（Ｄ）は、０，２５ｍｍから１，５ｍｍで、刃先間に設けられる溝（２４）の間隔（Ｅ）は、０，２ｍｍから１ｍｍ、ミシン目刃の幅（Ｇ）は１ｍｍ以内、高さ（Ｈ）１，５ｍｍ以内のミシン目刃で，溝の深さを除いた段差部（２３）から刃先（２１）の実刃高さ（Ｉ）は、０ｍｍから０，４ｍｍで構成される。
【００３０】
ミシン目刃の間に設けられる溝の最深部までの深さを、図に（Ｆ）で示したが、（Ｆ）は（Ｈ）と近似である。
（尚、段差部が溝に向かって、わずかな傾斜がある場合、傾斜をＲ部とみなし溝とすれば、溝は２０ｍｍとなるが、わずかな傾斜が、段差部１０ｍｍに対する傾斜が、０、５ｍｍ以内で、あればこれを段差部とした。）
【００３１】
このように構成されたミシン刃は、前記溝（２４）にニップ圧胴に設けられた自己粘着層がフィルムを介して押し込まれることにより、フィルムにミシン目の切込みを設けることを特徴とする。
【００３２】
尚、本発明において、＜溝＞の定義として、「ミシン目の近傍に位置する段差部のエッジにＲ部を設ける場合、Ｒ部は段差部より低くなるため、Ｒ部のエッジが溝の一方で、もう一方は、ミシン目刃の両端にあたる段差部高さに位置するミシン目刃の部分とする。」とした。
【００３３】
本発明の２つ目の形態である、ミシン目刃を設けたミシン目付与部材は、ミシン目刃の刃先が前記ミシン目付与部材の円周上、または部材表面の円周上の位置より高くに設けられたものであり、ミシン目付与部材の部材表面に沿って設けたミシン目刃の両側は段差部とし、該段差部の中央に設けられた埋込部に、予め用意するミシン目刃が形成されている板状刃を埋め込み、ミシン目刃の周囲は前記段差部より、深い溝が設けられる。
【００３４】
本発明のグラビア印刷方法に使用するミシン目付与部材は、グラビア印刷を施す印刷ユニットがフィルムの搬送経路に沿って複数設けられているグラビア印刷機の後段の印刷ユニットにおいて、グラビア印刷版の代わりに設けられる円柱状のミシン目付与部材であって、前記ミシン目付与部材の表面に段差部を設け、該段差部にミシン目刃を埋め込む埋込部を形成し、該埋込部にミシン目刃を装着し、更に前記ミシン目刃の両サイド、及びミシン目刃の刃先と刃先の間には、前記段差部より深い溝が形成されてなることを特徴とする。
【００３５】
更に、前記ミシン目付与部材において、前記ミシン目刃の刃先が前記ミシン目付与部材の円周上に、または、該円周を超える位置まで形成されているミシン目付与部材あることを特徴とする。
【００３６】
上記の２段落に、本発明の２つ目の形態であるミシン目付与部材の特徴を記したが、この特徴を持つミシン目刃を設けたミシン目付与部材と、自己粘着層を設けたニップ圧胴とでフィルムを圧接しインライン工程でのミシン目を付与するものであり、ミシン目刃の周囲に溝があれば、溝にフィルムを介して自己粘着層が押し込まれ、ミシン目刃を強くフィルムに押し当てることで、ミシン目が入り易くすることができる。
【００３７】
本発明の２つ目の形態である、ミシン目刃を設けたミシン目付与部材について、図をもって説明する。
【００３８】
図７から図９は、請求項５、請求項６のミシン目付与部材の例を示した図である。図にミシン目刃（２０）、ミシン目刃刃先（２１）、ミシン目刃の周囲の溝（２２）、段差部（２３）を示す。図９においては、段差部（２３）がないが、段差部（２３）を０ｍｍとし、ミシン刃の刃先を部材表面の円周上の位置より高くに設けた場合の図である。図を、比較すれば解るように、段差部（２３）からミシン目刃先（２２）の高さが低くなれば、溝（２３）の幅は広くなる。これは、ニップ圧胴表面の自己粘着層が溝に、押し込まれやすくなることでミシン目刃の高さを調整しているのと同じ効果がある。ニップ圧胴表面の自己粘着層については、後に記すこととする。
【００３９】
図１０、図１１に、上記のミシン目付与部材に設けるミシン目刃を構成する寸法関係図を示す。  図１０は、ミシン目付与部材の断面図、図１１は、板状ミシン目刃のミシン目刃の一部分の斜視図である。次に、図１０、図１１の説明をする。
【００４０】
任意のミシン目刃を設けたミシン目付与部材は、先ず、予め用意するミシン目刃が形成される板状ミシン目刃（３４）の全体寸法は、厚み（Ｇ）が０，６ｍｍから１，５ｍｍ、高さ（Ｊ）が１０ｍｍから３０ｍｍ、切削された刃部分の高さ（Ｋ）は、１、０ｍｍから３、０ｍｍ、長さは任意に選択すればよく１面にミシン目刃が設けられている。該ミシン目刃には、ミシン目刃の刃先長さ（Ｄ）は、０，２５ｍｍから１，５ｍｍで、刃先間に設けられる溝（２４）の間隔（Ｅ）は、０，２ｍｍから１ｍｍで、刃先間に設けられる溝の深さ（Ｈ）が０，２ｍｍから１ｍｍの刃が設けられた板状ミシン目刃（３４）を埋込部に埋め込めばよい。埋め込まれた状態での刃の寸法は、ミシン目刃（２０）の両側に設けられる段差部（２３）の寸法（Ａ）は、０ｍｍから２０ｍｍで、ミシン目刃（２０）の周囲に設けられる溝（２２）の幅（Ｂ）は、０，２ｍｍから２，５ｍｍ、深さ（Ｃ）が３，０ｍｍ以内で、溝の深さを除いた段差部（２３）から刃先（２１）の実刃高さ（Ｉ）は、０ｍｍから０，５ｍｍである。また、ミシン刃をミシン目付与部材の円周上に出す場合の出代（Ｌ）は、０，５ｍｍ以内とする。ミシン目刃先が円周状に出た場合を、図１０に破線で示した。
（尚、段差部が溝に向かって、わずかな傾斜がある場合、傾斜をＲ部とみなし溝とすれば、溝は２０ｍｍとなるが、わずかな傾斜が、段差部１０ｍｍに対する傾斜が、０、５ｍｍ以内で、あればこれを段差部とした。）
【００４１】
このように構成されたミシン刃は、前記溝（２４）にニップ圧胴に設けられた自己粘着層がフィルムを介して押し込まれることにより、フィルムにミシン目の切込みを設けることを特徴とする。
【００４２】
尚、本発明において、＜溝＞の定義として。「ミシン目の近傍に位置する段差部のエッジにＲ部を設ける場合、Ｒ部は段差部より低くなるため、Ｒ部のエッジが溝の一方で、もう一方は、ミシン目刃の両端にあたる段差部高さに位置するミシン目刃の部分とする。」とした。
【００４３】
前記ミシン目刃が、前記ミシン目付与部材の全幅に亘ってまたは部分的に間欠的に配置されている請求項３〜６の何れかに記載のミシン目付与部材。
【００４４】
本発明のグラビア印刷方法に使用するミシン目付与部材は、任意の形状でミシン目を、グラビア印刷行った絵柄フィルムに設けることができる。
【００４５】
図１２から図１４は、本発明のミシン目付与部材に設けたミシン目刃を示したものであり、図１２は、部材表面上で幅方向に直線に設けるであるミシン目（２５）の図、図１３は、部材円周方向に設ける２次曲線のミシン目（２６）の図、図１４は、部材表面上に任意の形状で設ける３次曲線のミシン目（２７）の図など、自由にミシン目を選択しミシン目付与部材とすることができる。
【００４６】
図１５に、本発明のミシン目付与部材である図１２に示した〇部分の断面及び拡大斜視図を示す。  
【００４７】
前記ミシン目刃が前記ミシン目付与部材の軸方向に配置されたものにおいて、前記段差部の横幅並びに該段差部の前記円周上からの深さが、前記ミシン目付与部材に振動を与えない０，５ｍｍ以内の範囲に設定されている請求項３〜７の何れかに記載のミシン目付与部材。
【００４８】
本発明のミシン目付与部材を用いる印刷において、ミシン目付与部材に振動を与えない範囲にミシン目刃を設けるには、部材の幅方向に多くの直線刃を設けない工夫が必要となる。例えば、図１２において、図１６のようにミシン目を配置すれば、ミシン目付与部材及びニップ圧胴に振動を与えなくすることができる。
【００４９】
また、本発明のミシン目付与部材において、段差部から部材外周までの長さと、ミシン目刃の回りに設ける溝の幅は、ミシン目を設けるにあたり、ポイントとなることは、先に記載したが、ミシン目がフィルムに付与される最初の切れ口は、ミシン目刃の両エッジであり、どちらかのエッジを、又は両エッジを、ミシン目刃が貫通すれば、切刃（切れ口）はフィルムのミシン目部全体に伝播しミシン目を形成することになる。
【００５０】
従って、ミシン目刃の両端部を鋭角に仕上げることにより、ミシン目を設ける場合にミシン目付与部材の段差部を短く、溝の幅を小さくすることで、ニップ圧胴に振動を与えなくすることができる。
【００５１】
図１７に、ミシン目を入れやすくする刃先両端部の加工部の例を図に示す。本方法は、ミシン目刃の刃先両端部の刃先角度を鋭利にするものであり、機械加工ではできないが刃先の仕上げ加工は熟練者が行うものであり、このような加工は手作業であれば容易なものである。更に、実施例１のｃ版においても、別のミシン目を入れやすくする刃先両端部の加工の例を示す。
【００５２】
本発明のグラビア印刷方法において、ミシン目刃を設けたミシン目付与部材について記したが、該ミシン目付与部材で、印刷ユニットを使用しミシン目を付与するためにはニップ圧胴にも重要なポイントがある。
【００５３】
本発明のグラビア印刷方法に使用する自己粘着を設けたニップ圧胴は、織布の表面側に合成樹脂がコートされ、更に非シリコン系離型剤がコートされたコート布と、該コート布の裏面側に付設された粘着剤層とで形成された自己粘着層がニップ圧胴の芯材外周に２層以上巻き付けられていることを特徴とする。
【００５４】
先ず、ニップ圧胴の表面に形成する層が、自己粘着層である必要性は、何回となくミシン目刃が入ることで、ニップ圧胴の表面に形成する層は細かく切断される、この切断においても層を形成するためには、層に自己粘着性が必要となる。織布の表面側に合成樹脂をコートされ、更に非シリコン系離型剤がコートされたコート布と、該コート布の裏面側に付設された粘着剤を介してニップ圧胴の芯材の外周に巻き付けたニップ圧胴であれば、ミシン目刃により織布は切断されても粘着層に混じることで層の構成は変化するが、織布の切断片は飛散しない。しかし、自己粘着性のない層であれば、ニップ圧胴の芯材の外周に巻き付けたクッション層などは自己粘着性がないために、印刷の進行に伴い反発性、クッション性が失われ、また、細かく裁断されることでフィルムに付着しグラビア印刷が施され、ミシン目を付与した印刷物とすることができなくなる。
【００５５】
自己粘着層の層厚みに関して、ミシン目刃は、実刃高さと自己粘着層が刃の周囲の溝に押し込まれる厚みを考慮すると自己粘着層の層厚みは、０，５ｍｍ以上必要である。０，６ｍｍ以上の自己粘着層を１層で形成し、織布の表面側に合成樹脂をコートしたコート布を厚くすれば、コート布の切断片は粘着剤に混ざりきらず  織布や合成樹脂の切断片が飛散する。また、粘着剤層を厚くすれば、ミシン目付与部材とニップ圧胴の圧接で、粘着剤はミシン目刃周囲形状に容易に変形し刃先部の粘着剤層が薄くなって刃先への圧力は減少し、また刃先がニップ圧胴の芯材に当たることも予想できる。従って自己粘着層において、これらのことを回避し、切断においても層を形成し、層に自己粘着性を保持するためには、織布の表面側に合成樹脂をコートし、更に非シリコン系離型剤がコートしたコート布を、コート布の裏面側に付設した粘着剤の自己粘着層の厚みを、０，２ｍｍから０，４ｍｍとして、該自己粘着層を２層以上に積層し、積層された総厚みを０，４ｍｍから１，６ｍｍの範囲で自己粘着層として形成すればよい。
【００５６】
尚、織布の表面側に合成樹脂をコートし、更に非シリコン系離型剤をコートしたコート布と、コート布の裏面側に付設された粘着剤との厚み比率は、７対３から３対７の範囲でよく、好ましくは６対４から４対６の範囲内の比率で形成するとよい。
【００５７】
本発明の包装材は、本発明のグラビア印刷方法により製造された、フィルムに任意の絵柄の印刷と任意のミシン目との見当が合ったグラビア印刷物を製造し、該グラビア印刷物を用いて、アルミ、セロハン、その他に引き裂き性を有する基材フィルム又は引裂き性が付与された基材フィルム及びシール性を有するフィルムを積層したことを特徴とする。
【００５８】
フィルムの積層方法や特性については、実施例に詳細に記載する。
【００５９】
本発明の包装材は、ミシン目に沿って開封が容易であるという機能性だけでなく、開封性を付与するミシン目加工が、グラビア印刷機で、絵柄のグラビア印刷と同時に行えることで、工程短縮、製造時間の短縮が図れ、また、グラビア印刷機で、任意の形状のミシン目が付与でき、新たなミシン目加工専用機の購入などの必要はなく、製造費用においても、優位な包装材とすることができた。
【発明の効果】
【００６０】
本発明のグラビア印刷方法により、グラビア印刷機を保有していれば、本発明のミシン目付与部材と本発明のニップ圧胴を用いることで、ミシン目が付与された印刷物を製造することができる。また、ミシン目付与部材で任意のミシン目をグラビア印刷機で付与することができ、各種包装材への使用範囲、応用範囲を広くすることができた。
【００６１】
更に、開封性を付与するミシン目加工が、グラビア印刷機で、絵柄のグラビア印刷と同時に行えることで、工程短縮、製造時間の短縮が図れ、また、グラビア印刷機で、任意の形状のミシン目が付与でき、新たなミシン目加工専用機の購入などの必要はなく、製造費用においても、優位な包装材とすることができた。
【図面の簡単な説明】
【００６２】
【図１】本発明のグラビア方法概要図
【図２】請求項３、４、のミシン目付与部材の例を示した図
【図３】請求項３，４，のミシン目付与部材の別な例を示した図
【図４】請求項３、４、のミシン目付与部材の別な例を示した図
【図５】請求項３、４、のミシン目付与部材に設けるミシン目刃を構成する寸法関係図
【図６】請求項３、４、のミシン目付与部材に設けるミシン目刃部分の寸法関係拡大斜視図
【図７】請求項５、６、のミシン目付与部材の例を示した図
【図８】請求項５、６、のミシン目付与部材の別な例を示した図
【図９】請求項５、６、のミシン目付与部材の別な例を示した図
【図１０】請求項５、６、のミシン目付与部材に設けるミシン目刃を構成する寸法関係図
【図１１】請求項５、６、のミシン目付与部材に設けるミシン目刃部分の寸法関係拡大斜視図
【図１２】ミシン目付与部材面上で幅方向に直線に設けるであるミシン目の図
【図１３】ミシン目付与部材円周方向に設ける２次曲線のミシン目の図
【図１４】ミシン目付与部材面上に任意の形状で設ける３次曲線のミシン目の図
【図１５】ミシン目付与部材である図１２に示した〇部分の断面及び拡大斜視図
【図１６】図１２のミシン目刃の配置位置変更した図
【図１７】ミシン目を入れやすくする刃先端部の加工例図
【図１８】刃先に対し４５度の角度で溝を形成した刃物板          （ミシン目を入れやすくする刃先端部の別な加工例図）
【発明を実施するための形態】
【実施例１】
【００６３】
グラビア印刷版はミシン目刃に合わせた切れ目線を設けた２種のグラビア印刷版を準備し、ミシン目付与部材は３部材を準備し、ニップ圧胴は２胴を準備し、印刷原反は３種を準備し、印刷方法は反転装置の使用有、無の２通りで、本発明を実施した。詳細を以下に記載し、結果を表にまとめる。
【００６４】
ミシン目に合わせた、前記グラビア印刷版は完全に合わせるためには、反転、非反転を考慮すると４印刷版が必要だ、見当の確認ができれば良しとし、２印刷版に省略した。また、絵柄版は、同円周のグラビア印刷版で在版３版を流用使用した。
【００６５】
ミシン目付与部材は、ａ部材、ｂ部材、ｃ部材の３部材とした。
【００６６】
ａ部材は、部材円周７００ｍｍ幅１１００ｍｍの鉄シリンダーに、円周に４面幅方向に３列の図１４に示した曲線でミシン目刃を設けた。１ヵ所のミシン目長さは、概ね２００ｍｍであった。
【００６７】
ミシン目付与部材作成は、旋盤加工で行い、刃先の仕上げ加工は熟練者が行った。刃先形状は、図３に近いものである。刃先寸法は、図５、６の寸法図の記号で示すと、Ｉ：０，２ｍｍ、Ｃ：０，３ｍｍ、Ｂ：１，２ｍｍ、Ｇ：０，２５ｍｍ、Ｄ：０，３５ｍｍ、Ｅ：０，３ｍｍであった。こうして作成した部材の焼き入れは、窒化処理でおこなった。
【００６８】
ｂ部材は、部材円周７００ｍｍ幅１１００ｍｍのシリンダーに、円周に４面幅方向に３列の図１２に示した部材幅方向に一直線でミシン目刃を設けた。１ヵ所のミシン目長さは、２００ｍｍであった。
【００６９】
ミシン目付与部材作成は、旋盤加工で行い、ミシン目刃の加工を行った刃物板を埋込部などの加工をした。刃先形状は、図８に近いものである。前記刃物板の寸法は、図１１の寸法図の記号で示すと、Ｊ：２０ｍｍ、Ｇ：０，８ｍｍ、Ｄ：０，３ｍｍ、Ｅ：０，２５ｍｍ、Ｈ：０，６ｍｍで、長さ２００ｍｍで、このミシン目刃を使用した。
ｂ部材の仕上がり寸法は、図１０の寸法図の記号で示すと、Ｉ：０，２ｍｍ、Ｃ：１，４ｍｍ、Ｂ：１，２ｍｍであった。段差部と溝とのコーナーは、０，９ｍｍ程度の角取りとした。
【００７０】
ｃ部材は、ｂ部材と同様に、部材円周７００ｍｍ幅１１００ｍｍのシリンダーに、円周に４面幅方向に３列の図１６に示した部材幅方向に一直線でミシン目刃を設けた。１ヵ所のミシン目長さは、２００ｍｍであった。
【００７１】
ミシン目付与部材作成は、放電加工で行い、ミシン目刃の加工を行った刃物板の埋込部などの加工をした。刃先形状は、図９に近いものである。ミシン目刃の加工を行った刃物板は、ｂ部材に使用したものと異なり、図１８に刃先より見た図で示すように、刃先に対し４５度の角度で溝を形成した刃物板を使用した。刃物板の寸法は、ｂ部材と同じである。このように、刃先に対し垂直ではなく角度を振った溝を設けるとミシン目刃の両端は鋭利になりフィルムに突き刺さり易くなることでミシン目が入りやすくなる。ｃ部材の仕上がり寸法は、図１０の寸法図の記号で示すと、Ｌ：０、２ｍｍ（円周上より０、２ｍｍ刃先が突出）、Ｃ：１、４ｍｍ、Ｂ：０、８ｍｍであった。段差部と溝とのコーナーは、０、５ｍｍＲの角取りを行った。
【００７２】
ニップ圧胴は、ａ胴、ｂ胴の２胴とした。  
【００７３】
ニップ圧胴のａ胴は、直径２００ｍｍのニップ圧胴芯材に、織布の表面側に合成樹脂をコートし、更に非シリコン系離型剤がコートしたコート布を、コート布の裏面側に付設された粘着剤層とで形成された自己粘着層をニップ圧胴の芯材外周に４層巻き付けた。自己粘着層の厚みは、０、３ｍｍで、コート布の厚みと粘着剤層の厚みとは、１対１程度であった。４層で形成した自己粘着層の厚みは、１、２ｍｍであった。  
【００７４】
ニップ圧胴のｂ胴が、ニップ圧胴のａ胴と異なる点は、自己粘着層をニップ圧胴の芯材外周に３層巻き付けた点である。３層で形成した自己粘着層の厚みは、０、９ｍｍであった。
【００７５】
印刷原反として、延伸ポリプロピレンフィルム２０ミクロン、延伸ポリエステルフィルム１６ミクロン、ナイロンフィルム１５ミクロンの３種を２４０００ｍ準備した。
【００７６】
グラビア印刷版は、版円周７００ｍｍ幅１１００ｍｍでａ印刷版、ｂ印刷版のグラビア印刷版２版を用意し、絵柄はミシン目刃を設けたａ部材、ｂ部材のミシン目に合わせた絵柄とした。（インキ面からのミシン目に見当が合う。）尚、他に、版円周７００ｍｍ幅１１００ｍｍの絵柄が設けられた在版を３版用意しグラビア印刷版として使用した。
【００７７】
以上の資材を準備して次のグラビア印刷を行った。グラビア印刷機は８色機を使用し、１ユニットから３ユニットは、印刷を行なわず空通しユニットとし、４，５，６ユニットに在版の絵柄が設けられた３版を、第７ユニットにａ、ｂ印刷版を交代に、第８ユニットにａ、ｂ、ｃ部材を交代に、第８ユニットのニップ圧胴としてａ、ｂ胴を交代にセットし、表１に示す条件でグラビア印刷を行なった。表１には、印刷結果を、ＯＫ，ＯＵＴ、及び４０００ｍ印刷後の、ミシン目の切れ味変化を確認した結果も表示する。最後尾に条件ごとのナンバリングＮＯ．を付した。結果は、全て問題なかった。
【００７８】
更に、ＮＯ．１、６、９、１２、１５、１７については、別途各２万ｍの印刷を行なったが、ミシン目の形成には変化がなく良好であった。
【００７９】
【表１】
2018149707.tif 000023
【実施例２】
【００８０】
実施例１で作成した、ミシン目を付与した印刷物を使用し、後工程である積層工程について確認を行った。
【００８１】
ドライラミネートでの積層においては、印刷面側よりミシン目を付与した印刷物、非印刷面側よりミシン目を付与した印刷物共に、ドライラミネート接着剤（固形分塗布量：２，５ｇ／平方メートル）塗布において、ミシン目を通しての非塗布面への浸み出しは認められなかった。被貼り合せフィルムに付いては、どのようなフィルムを選択しても問題なく貼り合わすことができた。
【００８２】
ポレエチレン押し出しによるラミネートにおいては、ＡＣ剤（イミン系、ブタジエン系、イソシアネート系）を、金属版で持ち上げられたコート液を、印刷フィルムに塗布し、該金属版とニップ圧胴でフィルムからコート液を絞る方法でコートした後のラミネートを確認した。ＡＣ剤がミシン目を通しての非塗布面への浸み出しが認められ、ＡＣ剤コートのニップ圧胴への転移があった。特に、イソシアネート系は、使用不可と判断した。イミン系、ブタジエン系はＡＣ剤コートのニップ圧胴への転移は認められたが、ラミネート製品の外観では、判別できるものではなかった。
【００８３】
従って、本発明のグラビア印刷とミシン目加工のインライン加工において、ミシン目加工の前に印刷機の１ユニットを使い印刷面にＡＣ剤をコートするのが賢明であるとの判断に至った。特に、イソシアネート系ＡＣ剤を使用する場合は、印刷インラインでのＡＣ剤コートにしなければならない。
【００８４】
上記の確認により、一部制約はあるが、本発明のグラビア印刷機で、絵柄の印刷と開封性付与のためのミシン目加工を行った印刷物は、全ての包装材仕様に適用できることが確認できた。
【００８５】
本発明のグラビア印刷方法により製造した印刷物を用い、包装材とするための積層について確認した内容を、表２にした。
【００８６】
【表２】
2018149707.tif 000024
【符号の説明】
【００８７】
Ａ    段差部の寸法
Ｂ    溝の幅
Ｃ    溝の深さ
Ｄ    ミシン目刃の刃先長さ
Ｅ    刃先間に設けられる溝の間隔
Ｆ    刃先間に設けられる溝の深さ
Ｇ    ミシン目刃の幅
Ｈ    ミシン目刃の高さ
Ｉ    溝の深さを除いた実刃高さ
Ｊ    板状ミシン目刃の全長幅長さ
Ｋ    板状ミシン目刃の刃物部分の長さ
Ｌ    円周上より飛び出た刃の長さ
Ｍ    板状ミシン目刃の溝の深さ
１    フィルム
２    給紙部
３    テンションコントローラ―
４    インキパン
５    インキ
６    ヒャニッシャーローラー
７    グラビア印刷版
８    ドクター刃
９    ニップ圧胴
１０  乾燥装置
１１  クーリングローラー
１２  ミシン目刃を設けたミシン目付与部材
１３  自己粘着層を設けたニップ圧胴
１４  排紙部
１５  フィルムの反転装置
２０  ミシン目刃
２１  ミシン目刃刃先
２２  ミシン目刃の周囲の溝
２３  段差部
２４  刃先間に設けられる溝
２５  直線に設けるであるミシン目
２６  版円周方向に設ける２次曲線のミシン目
２７  任意の形状で設ける３次曲線のミシン目
２８  刃先端部の加工部
２９  図１５に拡大図で示す部分
３０  刃先端部の鋭利にした部分
３１  板状ミシン目刃の厚み
３２  板状ミシン目刃の溝
３３  板状ミシン目刃の最深溝部